(57)【要約】本発明は、マイグレーション元デバイスとマイグレーション先デバイス（１２、１４）がともに、特定の遠隔通信プロトコルに基づいて、それぞれのネットワーク（１８、２４）内で通信している、マイグレーションが開始されるマイグレーション元デバイス（１２、１４）と、マイグレーションが向けられるマイグレーション先デバイス（１２、１４）との間でビデオ・セッションを移すための方法であって、マイグレーション元デバイス（１２、１４）において表示されるビデオ・コンテンツを識別するビデオ・パラメータを定義するステップと、そのようなビデオ・パラメータを、それらのビデオ・パラメータをマイグレーション元デバイス・プロトコルからマイグレーション先デバイス・プロトコルに適合させる少なくとも１つのサーバ（１７、１９、３０）を介して伝送されるセッション転送メッセージ（２２、２６、３８）の中で、マイグレーション元デバイス（１２、１４）のネットワーク（１８、２４）からマイグレーション先デバイス（１２、１４）のネットワーク（１８、２４）に転送するステップと、ビデオ・コンテンツがマイグレーション元デバイス（１２、１４）とマイグレーション先デバイス（１２、１４）の両方において表示されるように、マイグレーション先デバイス・ネットワーク（１８、２４）に転送されたビデオ・パラメータを使用してマイグレーション先デバイス（１２、１４）においてビデオ・コンテンツを表示するステップとを備えることを特徴とする方法に関する。
2012501133.tif 000002
【特許請求の範囲】
【請求項１】
マイグレーション元デバイス（１２、１４）とマイグレーション先デバイス（１２、１４）がともに、特定の遠隔通信プロトコルに基づいて、それぞれのネットワーク（１８、２４）内で通信している、マイグレーションが開始されるマイグレーション元デバイス（１２、１４）と、前記マイグレーションが向けられるマイグレーション先デバイス（１２、１４）との間でビデオ・セッションを移すための方法であって、
前記マイグレーション元デバイス（１２、１４）において表示されるビデオ・コンテンツを識別するビデオ・パラメータを定義するステップと、
そのようなビデオ・パラメータを、前記ビデオ・パラメータをマイグレーション元デバイス・プロトコルからマイグレーション先デバイス・プロトコルに適合させる少なくとも１つのサーバ（１７、１９、３０）を介して伝送されるセッション転送メッセージ（２２、２６、３８）の中で、前記マイグレーション元デバイス（１２、１４）の前記ネットワーク（１８、２４）から前記マイグレーション先デバイス（１２、１４）の前記ネットワーク（１８、２４）に転送するステップと、
前記ビデオ・コンテンツが前記マイグレーション元デバイス（１２、１４）と前記マイグレーション先デバイス（１２、１４）の両方において表示されるように、前記マイグレーション先デバイス・ネットワーク（１８、２４）に転送された前記ビデオ・パラメータを使用して前記マイグレーション先デバイス（１２、１４）において前記ビデオ・コンテンツを表示するステップとを備えることを特徴とする方法。
【請求項２】
前記マイグレーションは、固定マルチメディア・デバイス（１２）と移動マルチメディア・デバイス（１４）の間で行われることを特徴とする請求項１に記載の方法。
【請求項３】
前記固定マルチメディア・デバイス（１２）は、ＩＰ（インターネット・プロトコル）に基づいてビデオ番組を受信するテレビ・セットであることを特徴とする請求項２に記載の方法。
【請求項４】
前記マイグレーション元デバイス（１２）にマイグレーションの要求（２０）を送信するステップを備えることを特徴とする請求項１乃至３のいずれか１項に記載の方法。
【請求項５】
前記セッション転送メッセージ（２２）の前記伝送は、インターネット・プロトコルに基づくことを特徴とする請求項１乃至４のいずれか１項に記載の方法。
【請求項６】
前記セッション転送メッセージ（２２）は、前記マイグレーション元デバイス（１２）ネットワーク（２４）のサーバであるマイグレーション元サービス・プラットフォーム（１７）から、前記マイグレーション先デバイス（１４）ネットワーク（１８）のサーバであるマイグレーション先サービス・プラットフォーム（１９）に伝送されることを特徴とする請求項１乃至５のいずれか１項に記載の方法。
【請求項７】
前記ビデオ・パラメータは、少なくとも、前記マイグレーション元デバイス（１２、１４）において表示される前記ビデオ・コンテンツのＩＤ、または前記マイグレーション元デバイス（１２、１４）に伝送される前記ビデオ・コンテンツの源のブロードキャスト・チャネルのＩＤを備えることを特徴とする請求項１乃至６のいずれか１項に記載の方法。
【請求項８】
マイグレーションの前記セッション転送メッセージ（３６）が、前記セッション転送メッセージ（３６）に含まれるビデオ・パラメータを前記マイグレーション元デバイス（１４）プロトコルから前記マイグレーション先デバイス（１２）プロトコルに変換する１つのサーバ（３０）によって扱われるように、アプレット（３２、３４）が前記マイグレーション元デバイス（１４）および前記マイグレーション先デバイス（１２）に関連付けられることを特徴とする請求項１乃至７のいずれか１項に記載の方法。
【請求項９】
マイグレーション元デバイス（１２、１４）とマイグレーション先デバイス（１２、１４）がともに、特定の遠隔通信プロトコルに基づいて、それぞれのネットワーク（１８、２４）を介して通信している、マイグレーションが開始されるマイグレーション元デバイス（１４）と、マイグレーションが向けられるマイグレーション先デバイス（１２）との間でビデオ・セッションを移すためのサーバ（３０）であって、
前記マイグレーション元デバイス（１４）において表示されるビデオ・コンテンツを識別するビデオ・パラメータを受信するための手段と、
前記ビデオ・パラメータを、前記マイグレーション元デバイス・ネットワーク（１８）のプロトコルから前記マイグレーション先デバイス・ネットワーク（２４）のプロトコルに適合させるための手段と、
前記ビデオ・コンテンツが前記マイグレーション元デバイス（１４）と前記マイグレーション先デバイス（１２）の両方において表示されるように、そのようなビデオ・パラメータを、前記マイグレーション先デバイス・プロトコルに基づいて前記マイグレーション先デバイス（１２）ネットワーク（２４）に転送するための手段とを備えることを特徴とするサーバ（３０）。
【発明の詳細な説明】
【技術分野】
【０００１】
本発明は、固定マルチメディア・デバイスと移動マルチメディア・デバイスの間でビデオ・セッションを移すための方法に関する。
【背景技術】
【０００２】
ますます多くのユーザが、代替として、移動デバイスを介して、または固定デバイスを介してビデオ・コンテンツにアクセスしている。例えば、マルチメディア移動電話機が、固定ＴＶセットの代替として、ビデオ・コンテンツを表示するのに使用されることが可能である。
【０００３】
実際、移動デバイスは、例えば、ＩＰ（インターネット・プロトコル）などの固定デバイス用途のために考慮されるプロトコルとは異なる、特定の移動遠隔通信プロトコル、例えば、ＧＰＲＳまたは３Ｇを使用することが強調され得る。
【０００４】
移動デバイスは、移動中に、例えば、公共交通機関上でビデオにアクセスすることを可能にするが、そのようなデバイスの表示品質は、一般に、そのようなデバイスのディスプレイのサイズによって限られる。
【０００５】
したがって、移動デバイス上でビデオ・セッションを開始したユーザは、そのようなセッションを、例えば、自宅で許容され得る、より快適な固定デバイス上で続けることができることを高く評価する可能性がある。
【０００６】
同様に、固定ビデオ上でビデオ・セッションを開始したユーザは、固定デバイスの近くの場所を離れなければならない際、そのようなセッションを移動デバイス上で続けることができることを高く評価する可能性がある。
【０００７】
ユーザが固定デバイスから移動デバイスに、または移動デバイスから固定デバイスにセッションを移すために、さまざまな方法が既に知られている。
【０００８】
第１の方法は、以降、「ＳＩＬＯ法」と呼ばれる。この事例では、固定デバイスと移動デバイスはともに、移動デバイスと固定デバイスの間の直接通信が共通で標準化されている統合されたネットワークの一部である。
【０００９】
つまり、移動デバイスと固定デバイスは、例えば、通信および制御と関係する同一のプロトコルを使用する。
【００１０】
ＳＩＬＯ法は、定義上、ＳＩＬＯ法の内部デバイスにセッションを移す、または移動させる機会を外部デバイスに与えないという不利な点を提示する。
【００１１】
第２の方法は、以降、インターネット・マルチメディア・サブシステム（ＩＭＳ）法を表す「ＩＭＳ法」と呼ばれ、ＩＭＳ法は、ＩＰ（インターネット・プロトコル）ネットワークに音声呼およびデータ・セッションを扱わせる動作を定義するオープン標準化されたアーキテクチャである。
【００１２】
この事例では、ＩＭＳ標準は、ＩＭＳユーザ間、ＩＭＳユーザとＩＰユーザの間、またはＩＰユーザ間のマルチメディア・セッションおよびマイグレーションが同一のプロトコルに基づくように、異なるＩＰネットワークに共通要素として適用される。
【００１３】
遠隔通信事業者は、ＩＭＳ実用化試験を発表しているものの、ＩＭＳネットワークの本格的な展開は全く行われていない。そのような将来の展開を考慮しても、ＩＭＳネットワークは、既存のデバイスが、そのようなデバイスに準備のないプロトコル、すなわち、ＩＭＳに基づいて、コンテンツ・マイグレーション・サービスを提供することを可能にしない。
【発明の概要】
【発明が解決しようとする課題】
【００１４】
本発明は、前段で強調される問題、すなわち、異なる遠隔通信ネットワークを介して動作している固定デバイスと移動デバイスの間でマイグレーションを可能にするビデオ・コンテンツ・マイグレーション方法を提供すること、および既存のデバイスで使用され得るマイグレーション方法を実施することの少なくとも１つを解決することを目的とする。
【課題を解決するための手段】
【００１５】
その目的で、本発明は、マイグレーション元デバイスとマイグレーション先デバイスがともに、特定の遠隔通信プロトコルに基づいて、それぞれのネットワーク内で通信している、マイグレーションが開始されるマイグレーション元デバイスと、マイグレーションが向けられるマイグレーション先デバイスとの間でビデオ・セッションを移すための方法であって、
マイグレーション元デバイスにおいて表示されるビデオ・コンテンツを識別するビデオ・パラメータを定義するステップと、
そのようなビデオ・パラメータを、それらのビデオ・パラメータをマイグレーション元デバイス・プロトコルからマイグレーション先デバイス・プロトコルに適合させる少なくとも１つのサーバを介して伝送されるセッション転送メッセージの中で、マイグレーション元デバイスのネットワークからマイグレーション先デバイスのネットワークに転送するステップと、
ビデオ・コンテンツがマイグレーション元デバイスとマイグレーション先デバイスの両方において表示されるように、マイグレーション先デバイス・ネットワークに転送されたビデオ・パラメータを使用してマイグレーション先デバイスにおいてビデオ・コンテンツを表示するステップとを備えることを特徴とする方法に関する。
【００１６】
本発明による方法は、既存の移動デバイスと固定デバイスの間でビデオ・コンテンツのマイグレーションを可能にする。実際、そのようなマイグレーションは、１つのプロトコルに従って伝送されるビデオ・パラメータを識別し、別のプロトコルに従ってそのようなビデオ・パラメータをマイグレーション元デバイスに送信する少なくとも１つのサーバによって実行される。
【００１７】
また、この方法は、異なる遠隔通信ネットワーク間のビデオ・パラメータ転送を、これらのネットワークが異なる通信プロトコルを使用する可能性があるという事実にもかかわらず、可能にするために、ビデオ・パラメータの変換を行うことも可能にする。
【００１８】
一実施形態において、マイグレーションは、固定マルチメディア・デバイスと移動マルチメディア・デバイスの間で行われる。
【００１９】
一実施形態において、固定マルチメディア・デバイスは、インターネット・プロトコルに基づいてビデオ番組を受信するテレビ・セットである。
【００２０】
一実施形態において、この方法は、マイグレーションの要件をマイグレーション元デバイスに送信するステップを備える。
【００２１】
一実施形態において、セッション転送メッセージは、マイグレーション元デバイス・ネットワークのサーバであるマイグレーション元サービス・プラットフォームから、マイグレーション先デバイス・ネットワークのサーバであるマイグレーション先サービス・プラットフォームに伝送される。
【００２２】
一実施形態において、セッション転送メッセージの伝送は、インターネット・プロトコルに基づく。
【００２３】
一実施形態において、ビデオ・パラメータは、少なくとも、マイグレーション元デバイスにおいて表示されるビデオ・コンテンツのＩＤ、および／またはマイグレーション元デバイスに伝送されるビデオ・コンテンツの源のブロードキャスト・チャネルのＩＤを備える。
【００２４】
一実施形態において、マイグレーションのセッション転送メッセージが、セッション転送メッセージに含まれるビデオ・パラメータをマイグレーション元デバイス・プロトコルからマイグレーション先デバイス・プロトコルに変換する１つのサーバによって扱われるように、アプレットがマイグレーション元デバイスおよびマイグレーション先デバイスに関連付けられる。
【００２５】
また、本発明は、マイグレーション元デバイスとマイグレーション先デバイスがともに、特定の遠隔通信プロトコルに基づいて、それぞれのネットワークを介して通信している、マイグレーションが開始されるマイグレーション元デバイスと、マイグレーションが向けられるマイグレーション先デバイスとの間でビデオ・セッションを移すためのサーバであって、
マイグレーション元デバイスにおいて表示されるビデオ・コンテンツを識別するビデオ・パラメータを受信するための手段と、
これらのビデオ・パラメータを、マイグレーション元デバイス・ネットワークのプロトコルからマイグレーション先デバイス・ネットワークのプロトコルに適合させるための手段と、
ビデオ・コンテンツがマイグレーション元デバイスとマイグレーション先デバイスの両方において表示されるように、そのようなビデオ・パラメータを、マイグレーション先デバイス・プロトコルに基づいてマイグレーション先デバイス・ネットワークに転送するための手段とを備えることを特徴とするサーバにも関する。
【００２６】
本発明の以上の態様、および付随する利点の多くは、それらの態様および利点が、本発明の可能な２つの実施形態を図示するものである添付の図面と併せて解釈される後段の詳細な説明を参照して、よりよく理解されるにつれ、より容易に認識されよう。
【図面の簡単な説明】
【００２７】
【図１】固定マルチメディア・デバイス１２から移動マルチメディア・デバイス１４に向けてビデオセッションに移す際の固定マルチメディア・デバイスと移動マルチ・メディアデバイスの間の通信を示す図である。
【発明を実施するための形態】
【００２８】
より正確には、固定マルチメディア・デバイス１２から移動マルチメディア・デバイス１４に向けてビデオ・セッションを移している際のユーザ１０が図示される。
【００２９】
例えば、この固定マルチメディア・デバイスは、この固定デバイスの遠隔通信ネットワークであるインターネット２４を介してＴＶ番組をブロードキャストすることができるサービス・プラットフォーム１７から、ＴＶ番組を受信するＴＶスクリーンである。その目的で、ＴＶスクリーンは、ＩＰ（インターネット・プロトコル）信号を扱うセットトップボックス１６を備える。
【００３０】
移動マルチメディア・デバイス１４は、この実施形態では、携帯情報端末、つまり、「ＰＤＡ」であることが可能である。デバイス１４は、ＧＰＲＳまたは３Ｇなどの特定の移動遠隔通信プロトコルに基づいて、サーバ１９を備える移動遠隔通信ネットワーク１８を使用する。
【００３１】
本発明によれば、ユーザ１０は、ビデオ・セッションのマイグレーションを、そのようなビデオ・セッションを表示するデバイス上で、すなわち、この実施例では、固定ＴＶ１２ｓｃｒｅｅｎ上でそのようなマイグレーションを要求することによって行うことができる。
【００３２】
要件２０に従って、セッション転送メッセージ２２が、サービス・プラットフォーム１７から、移動体ネットワーク１８のサービス・プラットフォーム１９に送信される。
【００３３】
その目的で、サービス・プラットフォーム１７とサービス・プラットフォーム１９の間で標準の通信が、例えば、インターネット２４を介して、確立されなければならないことが強調され得る。
【００３４】
セッション転送メッセージ２２は、固定デバイス１２において表示されるビデオ・コンテンツを識別するビデオ・パラメータを含む。例えば、ビデオ・コンテンツのＩＤ、またはブロードキャスト・チャネルのＩＤが、それらのビデオ・パラメータの一部であることが可能である。
【００３５】
そのため、サービス・プラットフォーム１７およびサービス・プラットフォーム１９は、表示するデバイス１２から、マイグレーション先デバイス１４のネットワーク１８へのビデオ・パラメータの転送を、それらのビデオ・パラメータをマイグレーション先デバイス・プロトコルに適合させながら、行っている。
【００３６】
その結果、ユーザ１０は、要求されるビデオ・パラメータが、移動デバイス・ネットワーク１８プロトコルに従ってサーバ１９に通信されているので、マイグレーション先移動デバイス１４においてビデオ・コンテンツにアクセスすることができる。
【００３７】
その後、サーバ１９が、要求されたビデオ・セッションを移動デバイス１４にブロードキャストすることができ、デバイス１４は、サービス転送メッセージ２２の中で識別されたコンテンツを表示してＴＶセッションを開始する。
【００３８】
本発明の第２の実施形態によれば、単一のサーバ３０が、ＴＶセット１２と関係する特定のアプレット３２、および移動電話機１４と関係する特定のアプレット３４と連携して使用される。
【００３９】
これらのアプレット３２およびアプレット３４を使用して、ユーザ１０は、ビデオ・セッションのマイグレーションを、デバイスからそのようなマイグレーションを要求することによって、行うことができる。その目的で、マイグレーションの要求３６は、要求３６を、固定デバイス１２プロトコルのネットワーク２４に準拠する同一のビデオ・パラメータを含むセッション転送メッセージ３８に変換するために、移動体１４プロトコルのネットワーク１８に準拠するビデオ・パラメータを含むセッション転送メッセージとして、そのような要求３６を扱うことができるサーバ３０によって直接に扱われる。
【００４０】
そのため、本発明の、この実施形態は、異なるネットワーク間のメッセージ転送を要求しない。
【００４１】
本発明の好ましい実施形態が相当に詳細に開示されてきたが、説明される方法の多くの変形および変更が、本発明の趣旨または範囲を逸脱することなく、実施されることが可能である。
【００４２】
実際、本発明は、異なるＩＰテレビ・システムもしくはＩＰテレビ・セットにまたがってマイグレーションを行うことができる。例えば、ユーザは、本発明を使用して、ユーザ自身のＴＶセットおよび／または隣人のＴＶセットなどの異なるＴＶセット上にビデオ・セッションを移してもよい。
【００４３】
他の実施例では、本発明は、ユーザが、例えば、自宅内で、または異なる移動テレビ・システムもしくは移動テレビ・デバイスの間で、いくつかのＩＰベースのテレビ・デバイスを介してビデオ・セッションを移すことを可能にする。
【図１】
2012501133.tif 000003
【国際調査報告】
2012501133.tif 000004
2012501133.tif 000005
2012501133.tif 000006